(57)【要約】【課題】  非接触ＩＣタグの使用後には容易に読み取りを無効化できる、情報保護機能を高めた非接触ＩＣタグを提供する。【解決手段】  本発明の無効化可能非接触ＩＣタグ１は、ベースフィルム１１に形成されたアンテナパターン２に非接触通信機能部、制御部およびメモリを備えるＩＣチップ３が結合され、さらに前記ベースフィルム１１のアンテナパターン２がプラスチックフィルム又は紙基材４で被覆された構造を有する非接触ＩＣタグ１において、当該非接触ＩＣタグ１にはアンテナパターン２の少なくとも一部を横断する破線状の切断部６が形成されていて、当該破線状の切断部６により非接触ＩＣタグを２片１ａ，１ｂに分断し、当該分断により当該非接触ＩＣタグの読み取りを無効にできることを特徴とする。非接触ＩＣタグの切断部６にかかる部分にバーコードまたはまたはその他の光学読み取り可能なコードが設けられていることが好ましい。【選択図】    図１
2006301828.tif 000002
【特許請求の範囲】
【請求項１】
ベースフィルムに形成されたアンテナパターンに非接触通信機能部、制御部およびメモリを備えるＩＣチップが結合され、さらに前記ベースフィルムのアンテナパターンがプラスチックフィルム又は紙基材で被覆された構造を有する非接触ＩＣタグにおいて、当該非接触ＩＣタグにはアンテナパターンの少なくとも一部を横断する破線状の切断部が形成されていて、当該破線状の切断部により非接触ＩＣタグを２片に分断し、当該分断により当該非接触ＩＣタグの読み取りを無効にできることを特徴とする無効化可能非接触ＩＣタグ。
【請求項２】
前記プラスチックフィルム又は紙基材の表面には、前記破線状の切断部を跨ぐ形状で、バーコードまたはその他の光学読み取り可能なコードが設けられていて、切断部で分断した後の双方の非接触ＩＣタグ片から共通の当該コード情報が読み取り可能にされていることを特徴とする請求項１記載の無効化可能非接触ＩＣタグ。
【請求項３】
破線状の切断部がカット部と接続部からなるミシン目からなり、当該１のカット部の長さが、アンテナパターンの１のコイル線幅の３分の１未満の長さで、接続部が３分の２以上の長さであることを特徴とする請求項１または請求項２記載の無効化可能非接触ＩＣタグ。
【請求項４】
破線状の切断部がアンテナパターンのコイル線を跨ぐ部分では接続部となり、分断前においてはアンテナパターンを損傷しないようにされていることを特徴とする請求項１または請求項２記載の無効化可能非接触ＩＣタグ。
【請求項５】
分断される非接触ＩＣタグの一方側の片が、元の非接触ＩＣタグの大きさの３分の１以下の大きさであることを特徴とする請求項１または請求項２記載の無効化可能非接触ＩＣタグ。
【発明の詳細な説明】
【技術分野】
【０００１】
本発明は、無効化可能非接触ＩＣタグに関する。詳しくは、非接触ＩＣタグに対して所定の書き込みまたは読み取り処理が終了した後は、他人による読み取りを不可能にするため、ＩＣタグの非接触通信機能を無効化することが可能な非接触ＩＣタグに関する。
本発明の非接触ＩＣタグは、通常の非接触ＩＣタグとして用いられるが、特に個人情報保護や機密管理の目的として好適に利用できるものである。
本発明の技術分野は非接触ＩＣタグの製造や利用に関し、主要な利用分野は、運送や流通、販売管理、工場工程管理、商品の配送や荷物の取り扱いの分野であり、具体的な用途としては荷札、ラベル、伝票、チケット類、となる。
【背景技術】
【０００２】
非接触型ＩＣタグは、情報を記録して保持し非接触で外部装置と交信して情報交換できるので、運送や物流等における認識媒体として、あるいは商品の品質管理、在庫管理等の識別媒体のように、各種目的に多用されるようになってきている。
しかし、非接触型ＩＣタグは記憶した情報がＩＣチップのメモリに蓄積されているので、第三者が当該情報を故意に読み取りしようとすれば、それを効果的に防止する方法はない。特に、非接触読み取りは本人が意識しない間に読み取りされてしまうので、その過程も知ることができず、いつの間にか漏洩した情報が悪用されて蒙る弊害は多大なものとなる。このような状況を放置すれば、個人情報保護、プライバシー侵害の観点から社会的に大きな問題となる。
【０００３】
そこで、非接触ＩＣタグを付した商品の販売等が終了し一応の目的を達した際に、非接触ＩＣタグを商品から剥離してしまうことや、非接触ＩＣタグの機能を破壊してしまうことが検討されている。破壊方法としては、ＩＣチップを破損することやアンテナを切断させる方法、等が知られている。この場合には、商品には非接触ＩＣタグの機能が残らないので、商品の購入者等が情報を読み取りされる危険性はない。
【０００４】
しかし、非接触ＩＣタグは、単にメモリ内の情報記録と非接触通信機能を有するだけでなく、近年の非接触ＩＣタグは、視覚的に識別できる情報を兼ね備えた形態のものも増えてきている。この場合、販売時点でＩＣタグを剥離して処分してしまうのでは、折角記録した視角識別情報がその後に有効に活用されず無駄になる問題がある。
また、ＩＣチップを破壊してしまう場合も資源の再利用の観点からは問題がある。
【０００５】
非接触ＩＣタグの機能を破壊する構造の先行技術としては、特許文献１、特許文献２があるが、本願とは目的・用途および構成を異にしている。一方、破断部から折り取りしてＩＣカードを有効化する先行技術として、特許文献３、特許文献４があるが、本願のように無効化する技術とは相違している。また、本願のように視覚または光学的に読み取りする情報を伴うものでもない。また、非接触ＩＣタグにバーコードを併用するラベルとして、特許文献５があるが本願発明に直接関係するものではない。
【０００６】
【特許文献１】特開２００１−１４４４２号公報
【特許文献２】実用新案登録第３１０５２８６号公報
【特許文献３】特開平１１−７８３２３号公報
【特許文献４】特開２０００−１８２０１５号公報
【特許文献５】特開２００２−１２３８０５号公報
【発明の開示】
【発明が解決しようとする課題】
【０００７】
従来技術では、非接触ＩＣタグを容易に無効化できる形態について提案されていない。そこで、本発明は第１に、非接触ＩＣタグの読み取り無効化を容易に可能とする技術に関するが、第２には、読み取りを無効化すると同時に目で確認できる一部有用な視認情報はその後も再利用可能とすることを研究して完成されたものである。
【課題を解決するための手段】
【０００８】
上記課題を解決する本発明の要旨の第１は、ベースフィルムに形成されたアンテナパターンに非接触通信機能部、制御部およびメモリを備えるＩＣチップが結合され、さらに前記ベースフィルムのアンテナパターンがプラスチックフィルム又は紙基材で被覆された構造を有する非接触ＩＣタグにおいて、当該非接触ＩＣタグにはアンテナパターンの少なくとも一部を横断する破線状の切断部が形成されていて、当該破線状の切断部により非接触ＩＣタグを２片に分断し、当該分断により当該非接触ＩＣタグの読み取りを無効にできることを特徴とする無効化可能非接触ＩＣタグ、にある。
【０００９】
上記において、前記プラスチックフィルム又は紙基材の表面には、前記破線状の切断部を跨ぐ形状で、バーコードまたはその他の光学読み取り可能なコードが設けられていて、切断部で分断した後の双方の非接触ＩＣタグ片から共通の当該コード情報が読み取り可能にされている、ようにすることができる。この場合には分断した双方のＩＣタグ片から、例えば共通のバーコード情報を読み取りすることができる。
【００１０】
上記の破線状の切断部はカット部と接続部からなるようにし、当該１のカット部の長さが、アンテナパターンの１のコイル線幅の線幅の３分の１未満の長さである、ようにすることができ、また、破線状の切断部がアンテナパターンのコイル線を跨ぐ部分では接続部となり、アンテナパターンを損傷しないようにされている、ようにすることもできる。
以上のように構成する場合には、分断前においてはアンテナパターンを切断しないか完全には切断しないので、通信機能を損なう問題を生じない。
【発明の効果】
【００１１】
請求項１記載の無効化可能非接触ＩＣタグには、ベースフィルムに形成されたアンテナパターンの少なくとも一部を横断し容易に分断する破線状の切断部が形成されているので、商品の販売等が終了し非接触ＩＣタグが一応の目的を達した際には、当該切断部からＩＣタグを分断して容易にＩＣタグを無効化することができる。
請求項２記載の無効化可能非接触ＩＣタグでは、上記破線状の切断部を跨ぐ形状で、バーコードまたはその他の光学読み取り可能なコードが設けられているので、切断部で分断した後の双方の非接触ＩＣタグ片から当該コード情報を読み取りすることができる。
したがって、ＩＣチップが無いＩＣタグの一方側片からも、例えばバーコード情報を読み取りできる。
【発明を実施するための最良の形態】
【００１２】
本発明は、以上のような無効化可能非接触ＩＣタグに関するが、以下、図面を参照して本発明を説明する。図１は、本発明の無効化可能非接触ＩＣタグの例を示す図、図２は、同他の例を示す平面図、図３は、無効化可能非接触ＩＣタグがバーコードを有する例を示す平面図、図４は、他の光学読み取り可能コードを有する例を示す平面図、図５は、破線状の切断部を示す図、である。
【００１３】
図１は、本発明の無効化可能非接触ＩＣタグの例を示す図であり、図１（Ａ）は平面図、図１（Ｂ）は、図１（Ａ）のＡ−Ａ線部拡大断面図である。図１（Ａ）においては、実際にはアンテナパターン２やＩＣチップ３等は、プラスチックフィルムまたは紙基材の下面にあって見えないが、理解の容易のため透視した状態を示している。
本発明の無効化可能非接触ＩＣタグ１は、図１（Ａ）のようにベースフィルム１１にアンテナパターン２を形成し、アンテナパターン２の両端部２ａ，２ｂにＩＣチップ３を装着している。アンテナパターン２は図のようにコイル状のものとする。
図中、符号７を付した部材はコイルの一端をベースフィルム１１の背面を通して端部２ａに導く導通回路である。ＩＣチップ３は、通常のように非接触通信機能部と制御部および情報記憶のためのメモリを備えるものである。以上の構成は、通常の非接触ＩＣタグと同様のことである。
【００１４】
本発明の無効化可能非接触ＩＣタグ１の特徴は、使用後に非接触ＩＣタグ１を分断することができる破線状の切断部６を備えている特徴がある。図１の例では、破線状の切断部６が、アンテナパターン２の全てのコイル線を横断するようにされている。
この破線状の切断部６に沿って切り離しし、非接触ＩＣタグ１を分断すれば、ＩＣチップ３のパッド間は導通しないので非接触通信は不可能となる。分断後のＩＣタグは、ＩＣチップ３とアンテナパターン２の一部が残る側の分断片１ａとアンテナパターン２の大半が残る分断片１ｂに分離される。
【００１５】
本発明の無効化可能非接触ＩＣタグ１は、図１（Ｂ）の断面図のように、ベースフィルム１１面に形成されたアンテナパターン２面上には、接着剤層５を介して、他のプラスチックフィルム又は紙基材４が被覆されている。アンテナパターン２やＩＣチップ３が直接外面に露出しないようにして保護するためである。図示してないが、ベースフィルム１１のアンテナパターン２とは反対側の面か、プラスチックフィルム又は紙基材４の被覆面にはＩＣタグ１を被着体に貼着するための粘着剤層と剥離紙を有していてもよい。
破線状の切断部６は、カット部６ｃがベースフィルム１１、およびプラスチックフィルム又は紙基材４を貫通するように形成されるが、接続部を残して破線状に接続する、いわゆるミシン目線のものである。
【００１６】
図２は、本発明の無効化可能非接触ＩＣタグの他の例を示す平面図である。断面図は省略しているが、図１と同様に、ベースフィルム１１とプラスチックフィルム又は紙基材からなるものである。図２の場合、破線状の切断部６は、アンテナパターン２の一部のコイル線の突出部を横断するようにされている。この場合でも、破線状の切断部６から非接触ＩＣタグを分断すれば、非接触通信が不可能となるのは図１の場合と同様である。
【００１７】
無効化可能非接触ＩＣタグ１は、図３のようにバーコード（又はその他の光学読み取り可能なコード等）８を有している。バーコード８はベースフィルム１１を被覆するプラスチックフィルム又は紙基材４面に印字等されるが、破線状の切断部６を跨ぐように設ける。このように、バーコード８を設けることで、非接触ＩＣタグ１を当該切断部６から分断した場合に、双方の分断片１ａ，１ｂに残るバーコード８によりその情報を共通に読み取りし認識することができるからである。
【００１８】
バーコード８は多くの場合、アンテナパターン２の上に印字されるがアンテナパターン２の凹凸は小さく、プラスチックフィルム又は紙基材４により平坦化されるので、印字に支障となることはない。バーコード８には、商品アイテムコード等が記録され、当該商品情報と共通の情報または一部の情報が非接触ＩＣタグ１のＩＣチップ３にも記録される。このようなバーコード８にはＪＡＮコードが通常用いられる。例えば、アパレル関係では商品名や商品番号をコード化して印字記録することが行われる。
【００１９】
バーコードがＪＡＮコードの場合、標準タイプと短縮タイプ等があるが、一般に、国コード（２桁）、メーカーコード（４〜７桁）、商品アイテムコード（１〜５桁）、チェックデジット（１桁）をマーキングする。基本寸法のナローバー幅は、０．３３ｍｍで、バーコードの全幅は、３７．２９ｍｍ、バーコードの高さは２２．８６ｍｍとされている。基本寸法の０．８〜２．０倍まで拡大、縮小が可能である。したがって、上記のように基本バーコードの高さが２２．８６ｍｍあれば、中央で分断した場合には、双方の分断片には１１．４３ｍｍ長さのバーコードが残り、それらから情報の読み取りが可能となる。
【００２０】
バーコードに代えて、ＯＣＲ（Ｏｐｔｉｃａｌ  Ｃｈａｒａｃｔｅｒ  Ｒｅｃｏｇｎｉｔｉｏｎ）用文字や磁気インキ文字を使用してもよい。
図４は、他の光学読み取り可能コードを有する例を示す図である。ＯＣＲ用文字や磁気インキ文字では、１列の文字を切断部６から分断した２片から同一情報を読み取りするのは困難なので、図４のように、切断部６の両側に同一の文字列Ｃ１，Ｃ２を２列印字することになる。バーコード８の場合も２列記録しても良いが、情報の共通性の信頼度を高める意味からは、１列のバーコードを切断部６を横断するように記録するのが好ましい。
なお、バーコードは赤外線読み取りバーコードであってもよい。
【００２１】
破線状の切断部６は、回転または押圧する刃型によりミシン目線状に形成するが、ミシン目線はコイル線幅を完全には切断しないように形成するか、コイル線を跨ぐように形成する。図５は、破線状の切断部を示す図である。図５（Ａ）は、コイルの線幅を完全には切断しないように形成した例、図５（Ｂ）は、コイル線を跨ぐように形成した例である。  図５（Ａ）の場合、破線状の切断部６は、カット部６ｃと接続部６ｓからなるが、カット部６ｃの長さ（Ｌ１）はコイル線幅（Ｗ）の３分の１未満の長さで接続部の長さ（Ｌ２）が３分の２以上の長さになるようにされる。例えば、１のコイル線幅（Ｗ１）が０．６ｍｍ、線間間隔（Ｗ２）が０．４ｍｍの場合、Ｌ１は０．２ｍｍ未満、Ｌ２は０．４ｍｍ以上とする。そうすることにより、破線状の切断部６がアンテナパターンのコイル線を当初から完全に切断してしまう問題を生じない。図５（Ａ）は、Ｗ１が０．６ｍｍ、Ｗ２が０．２ｍｍ、Ｌ１が０．２ｍｍ未満、Ｌ２が０．４ｍｍとした場合の図である。
【００２２】
図５（Ｂ）の場合、破線状の切断部６は、設計した刃型形状にされており、アンテナパターン２の１のコイル線部分を跨ぐ部分では接続部６ｓとなり、コイル線を切断しないようにされている。コイル線以外の部分では、通常のようにカット部６ｃと接続部６ｓが破線状に連続するようにする。このような破線は、アンテナパターン２の形成時に位置合わせ用のマークを残しておき、刃型位置を当該マークに連動して制御するようにすれば、切断部６を設けることは可能である。この場合には、刃型を特製する必要があるが破線状の切断部６が分断前においてはアンテナパターンを少しも損傷しない利点がある。
【００２３】
本発明の無効化可能非接触ＩＣタグにおいては、分断される非接触ＩＣタグの一方側の片が、元の非接触ＩＣタグの大きさの３分の１以下の大きさであることが好ましい。分断した一方側の大きい方の片は、通常、顧客が商品を購入した際に顧客に渡される。顧客に案内する情報（例えばアパレルの場合、サイズや素材、洗濯方法）を多くする必要があるからである。また、販売元側に残る他方の小片の分断片には、ＩＣチップ３が残るようにするのが好ましい。ＩＣチップの再利用やデータ解析にも利用できるからである。
顧客は商品を購入した際は、大サイズの分断片１ｂを受け取るが、この分断片１ｂには非接触ＩＣタグは付いてないので、商品情報等を盗用されることはない。購入製品に欠陥があって返品するような場合は、バーコード８から商品アイテム等のコードを読み取りできるので、店舗側でも間違った商品の返品を受け取るような問題を生じない。
【００２４】
次に、本発明の無効化可能非接触ＩＣタグの製造方法について説明する。
まず、ベースフィルム１１にアンテナパターン２をフォトエッチングや印刷等の工程で製造する。フォトエッチングの場合は、ベースフィルム１１にアルミ又は銅箔をラミネートした基材を使用する。アンテナパターン２のコイル線幅は、通常０．２ｍｍから１．０ｍｍ程度の範囲に形成する。次に当該アンテナパターン２に両端部にＩＣチップ３を接合する。ＩＣチップ３を接合したベースフィルム１１のアンテナパターン面にプラスチックフィルムまたは紙基材からなる被覆材をラミネートする。
【００２５】
破線状の切断部６を刃型を用いて形成する。非接触ＩＣタグを商品等に紐で取り付けるための穴を同時に形成してもよい。バーコード８等の鮮明な印字を可能にするように、切断部６には凹凸形状等が残らないようにする。次に、所定のバーコード８やその他の視覚情報の印字を被覆材面に行う。必要により、ベースフィルム１１の被着体側となる面に剥離紙８に粘着加工をして貼り付けする。切断部６とバーコード８等の印字の順序は上記と逆であってもよい。
【００２６】
＜材質に関する実施形態＞
（１）ベースフィルム
プラスチックフィルムを幅広く各種のものを使用でき、以下に挙げる単独フィルムあるいはそれらの複合フィルムを使用できる。
ポリエチレンテレフタレート（ＰＥＴ）、ＰＥＴ−Ｇ（テレフタル酸−シクロヘキサンジメタノール−エチレングリコール共重合体）、ポリ塩化ビニル、塩化ビニル−酢酸ビニル共重合体、ポリカーボネート、ポリアミド、ポリイミド、セルロースジアセテート、セルローストリアセテート、ポリスチレン系、ＡＢＳ、ポリアクリル酸エステル、ポリプロピレン、ポリエチレン、ポリウレタン、等である。
【００２７】
（２）表面基材
プラスチックフィルムや紙基材を幅広く各種のものを使用できる。プラスチックフィルムとしては、上記に挙げたものを使用でき、紙基材としては以下のもの等を使用できる。表面にプリンター印字をする場合は、上質紙、コート紙等の紙基材が特に好ましい。
上質紙、コート紙、クラフト紙、グラシン紙、合成紙、ラテックスやメラミン含浸紙。    
【００２８】
（３）接着剤、粘着剤
本明細書で接着剤という場合は、溶剤型や重合型、紫外線硬化型、エマルジョン型、熱溶融型等の各種のものをいい、いわゆる粘着剤型のものをも含むものとする。いずれであっても、双方の材料間を接着すれば目的を達成できるからである。
また、本明細書で粘着剤という場合は、徐々に粘度が顕著に上昇することなく、いつまでも中間的なタック状態を保つものをいうものとする。
接着剤、粘着剤の樹脂組成物としては、天然ゴム系、ニトリルゴム系、エポキシ樹脂系、酢酸ビニルエマルジョン系、アクリル系、アクリル酸エステル共重合体系、ポリビニルアルコール系、フェノール樹脂系、等の各種材料を使用できる。
【実施例１】
【００２９】
以下、実際の実施形態について実施例を用いて説明する。
ＩＣタグのベースフィルム１１として、厚み３８μｍの透明２軸延伸ポリエステルフィルムに２５μｍ厚のアルミニュウム箔をドライラミネートした基材を使用し、これに感光性レジストを塗布した後、図１のようなアンテナパターンを有するフォトマスクを露光して感光させた。露光現像後、フォトエッチングしてアンテナパターン２を有するインレットベースフィルムが完成した。なお、アンテナパターン２は外形が、４５ｍｍ×７６ｍｍの大きさであって、コイルの線幅が０．８ｍｍ、コイルの線間間隔が０．４ｍｍ、ターン数６となるようにした。
【００３０】
上記インレットベースフィルム１１のアンテナコイル両端部に、平面サイズが１．０ｍｍ角、厚み１５０μｍであるＩＣチップ３をフェイスダウンの状態で熱圧をかけて装着した。次に、ポリエステル系ホットメルト接着剤を介し、厚み４０μｍの表面基材（コート紙）４を熱プレスして非接触ＩＣタグ１を完成した。
【００３１】
カット部６ｃの長さＬ１が０．２５ｍｍ、接続部６ｓの長さＬ２が０．５５ｍｍである破線状の刃型を用いてコイル線の全部を横断するように切断部６を形成した。同時に紐通し用の２穴の抜き穴を形成した。切断部６の破線は、図１のようにＩＣチップ３の残る分断片１ａの面積がＩＣタグ全体の面積の２３％となる位置に直線状に設けた。
次に、バーコードラベルプリンタを用いて、商品アイテムコード等をバーコード（１３桁標準タイプ）に印字した。
【実施例２】
【００３２】
実施例１と同一のベースフィルムからなる基材を使用したが、アンテナパターンは、図２のようにコイル線の一部とＩＣチップ３装着部が凸状の突出部になるパターンを用いてアンテナパターンをフォトエッチングして形成した。なお、アンテナパターン２は外形が、４５ｍｍ×７６ｍｍの大きさであって、コイルの線幅が０．８ｍｍ、コイルの線間間隔が０．４ｍｍ、ターン数６となるようにした。
これに実施例１と同一のＩＣチップを同一条件で装着し、ポリエステル系ホットメルト接着剤を介し、厚み４０μｍの表面基材（コート紙）４を熱プレスして非接触ＩＣタグ１を完成した。
【００３３】
アンテナパターンのコイル線を避けるように設計した刃型を用いて破線状の切断部６を形成した。切断部６の破線は、図２のようにＩＣチップ３の残る分断片１ａが全体の面積の２０％となる位置に直線状に設けた。同時に紐通し用の２穴の抜き穴を形成した。
次に、バーコードラベルプリンタを用いて、商品アイテムコード等をバーコード（１３桁標準タイプ）に印字した。
【００３４】
上記実施例１、実施例２の非接触ＩＣタグ１の使用試験をしたが、支障なくリーダライタとの間で交信できた。また、読み取り後に破線状の破断部６からＩＣタグを分断することにより、ＩＣタグの通信機能が失われるのが確認できた。分断後の双方の分断片１ａ，１ｂからバーコード８を読み取りできることも確認された。
【図面の簡単な説明】
【００３５】
【図１】本発明の無効化可能非接触ＩＣタグの例を示す図である。
【図２】同他の例を示す平面図である。
【図３】無効化可能非接触ＩＣタグがバーコードを有する例を示す平面図である。
【図４】他の光学読み取り可能コードを有する例を示す図である。
【図５】破線状の切断部を示す図である。
【符号の説明】
【００３６】
１    無効化可能非接触ＩＣタグ
２    アンテナパターン
３    ＩＣチップ
４    プラスチックフィルム又は紙基材
５    接着剤層
６    破線状の切断部
７    導通回路
８    バーコード
１１    ベースフィルム
【図１】
2006301828.tif 000003
【図２】
2006301828.tif 000004
【図３】
2006301828.tif 000005
【図４】
2006301828.tif 000006
【図５】
2006301828.tif 000007